(57)【要約】【課題】マクロセル及びマイクロセル内の通信基地局にバンド幅制限用の外付フィルタを接続した際に、システム全体としての通信効率を向上させることを可能にする。【解決手段】電波でマクロセルｍを形成し、所定のバンド幅を制限する外付フィルタが接続された通信基地局としてのマクロ基地局１１と、マクロセルｍ内で電波によるマイクロセルｉ１，ｉ２を形成し、外付フィルタが任意に接続される通信基地局としてのマイクロ基地局４１ａ，４１ｂとを有し、２つのバンドを使用して通信を行う無線通信システムにおいて、マクロ基地局１１に、より制限の弱い第２バンドを優先的に割り当て、マイクロ基地局４１ａ又は４１ｂに、より制限の強い第２バンドを優先的に割り当てるように構成した。【選択図】図５
2013191987.tif 000002
【特許請求の範囲】
【請求項１】
電波でマクロセルを形成し、所定のバンド幅を制限する外付フィルタが接続された通信基地局としてのマクロ基地局と、前記マクロセル内で電波によるマイクロセルを形成し、前記外付フィルタが任意に接続される通信基地局としてのマイクロ基地局とを有し、複数のバンド幅を使用して通信を行う無線通信システムにおいて、
前記マクロ基地局に、より制限の弱いバンド幅を優先的に割り当て、前記マイクロ基地局に、より制限の強いバンド幅を優先的に割り当てることを特徴とする動作無線通信システム。
【請求項２】
前記マクロセル内に前記マイクロ基地局が複数配置され、これらマイクロ基地局が形成するマイクロセルにおいても前記マクロセルと同じバンド幅が制限されている際に、より制限の弱いバンドを持つ基地局に対して、優先的にこの制限バンドを割り当て、同じバンドを使い且つ制限されているバンドである基地局が複数ある場合には、その中で最も制限の弱いバンドを持つ基地局に割り当てることを特徴とする請求項１記載の動作無線通信システム。
【請求項３】
前記マクロセル内に前記マイクロ基地局が複数配置され、これらマイクロ基地局が形成するマイクロセルにおいても前記マクロセルと同じバンド幅が制限されている際に、より出力電力の小さなマイクロ基地局に対して、よりバンド制限の強いバンド幅を優先的に割り当てることを特徴とする請求項１記載の動作無線通信システム。
【請求項４】
前記マクロ基地局は、
当該マクロ基地局及び前記マイクロ基地局の出力電力及びバンド幅毎の劣化量を表すセル設置状況情報を記憶する記憶部と、
当該マクロ基地局が前記セル設置状況情報から該当セルのバンド幅の劣化量を確認して劣化無しのバンド幅を使用し、また、複数のマイクロ基地局のうちバンド幅の劣化量又は出力電力の小さいバンド幅を使用するように該当マイクロ基地局に指示する処理部とを備えることを特徴とする請求項１〜３の何れか１つに記載の無線通信システム。
【発明の詳細な説明】
【技術分野】
【０００１】
本発明は、マクロセルを形成する通信基地局と、そのマクロセル内にマイクロセルを形成する通信基地局とを有する無線通信システムに関する。
【背景技術】
【０００２】
携帯電話の高速なデータ通信仕様の一つであるＬＴＥ（Long Term Evolution）／ＬＴＥ−Ａ（Advanced）基地局におけるＣＡ（Carrier Aggregation）のように、複数のバンド（周波数帯）を同時に使用して通信する通信基地局がある。この通信基地局の電波が形成する１つの大きなエリア内には、その通信基地局を含め送信電力の異なる複数の通信基地局が、それぞれ電波到達範囲の重なった状態で設置されている構成がある。なお、バンドとは、有限の幅を持つ特定の周波数範囲につけられた呼称であるとする。
【０００３】
図８に示すように、それら通信基地局１は、有線ネットワークインタフェイス部２と、第１バンド用無線送受信部３と、第２バンド用無線送受信部４と、処理部５と、記憶部６と、第１バンド用無線送受信部３に接続された複数のアンテナ７ａ，７ｂと、第２バンド用無線送受信部４に接続された複数のアンテナ７ｃ，７ｄとを備えて構成されている。また、第１バンド用無線送受信部３と、複数のアンテナ７ａ，７ｂとの間には、後述のように必要に応じて外付フィルタ１０が接続される。
【０００４】
これらの通信基地局１は、有線ネットワークインタフェイス部２を介して有線ネットワークに接続され、このネットワークを通じてデータの遣り取りを行うことができるようになっている。ここでは特に、送信電力の比較的大きな１つのマクロセルを形成する通信基地局（マクロ基地局ともいう）が設置されたマクロセルエリアの中に、送信電力の比較的小さな複数のマイクロセルを形成する通信基地局（マイクロ基地局ともいう）が設置されている無線通信システムを想定する。
【０００５】
また、通信基地局１が使用するバンドの中には、隣接する無線通信システムとの間の与干渉／被干渉である干渉の発生を防ぐための措置として、自送信バンド幅内の特性である位相フラットネスや振幅フラットネスを劣化させるような強力な外付フィルタ１０が、図８に示すように通信基地局１の外部に接続される場合がある。
【０００６】
ここで、外付フィルタ１０により制限されるバンドを、制限バンドと呼ぶ。また、バンドを制限することをバンド制限という。制限バンドは、全セルに対して一律に発生しているわけではなく、各セルの設置場所に応じて最低限必要とされるバンドにおいてのみ発生しているものとする。また、制限バンドを発生させる原因となるフィルタ特性は全数一律ではなく、必要最低限の減衰量を持った設計がなされおり、各フィルタ強度の間には差があるものとする。減衰量が大きくバンド幅内劣化の大きいバンドのことを制限の強いバンド、逆の場合を制限の弱いバンドと呼ぶ。また、マクロセル内に設置されたマイクロ基地局の出力は必ずしも一定ではないとする。
【０００７】
この無線通信システムにおいては、法律上の取り決めや、業者間の取り決め等によって、予め定められた電波の干渉制限エリアに特定のバンド幅の電波を送信してはならない仕様が定められており、このような場合に、マクロ基地局及びマイクロ基地局に外付フィルタを付けて、自通信基地局からの特定のバンドを制限している。この種の従来技術として特許文献１に記載のものがある。
【先行技術文献】
【特許文献】
【０００８】
【特許文献１】国際公開第２００６／０７７６９６号パンフレット
【発明の概要】
【発明が解決しようとする課題】
【０００９】
しかしながら、上述した従来の無線通信システムによれば、マクロ基地局に外付フィルタ１０を付けるとマクロセルのエリアは大きいので、広範囲にバンド制限の影響を与えてしまい、本来はバンド制限不要なエリアにもバンド制限の影響を与えてしまう。
【００１０】
また、同一エリア内のマクロ基地局とマイクロ基地局の間で、制限バンドの悪影響を最小化する仕組みがない。
【００１１】
更に、マクロ基地局で制限の強いバンドの制限を行い、マイクロ基地局で制限の弱いバンドの制限を行う外付フィルタ１０を使用した場合、この逆の場合に比べて制限バンドの悪影響が出るエリア面積が大きくなる。
【００１２】
更には、マイクロセルが複数あり、これらマイクロセルにおいてマクロセルと同じバンドが制限バンドになっている場合に、より出力の大きなマクロセルやマイクロセルが制限バンド、出力の小さなマイクロセルが非制限バンドを使った場合には、この逆の場合に比べて制限バンドの影響が出るエリア面積が大きくなる。
【００１３】
これら理由によって、無線通信システム全体としての通信効率が悪くなるという問題がある。
【００１４】
本発明は上記した課題を解決するためになされたものであり、マクロセル及びマイクロセル内の通信基地局にバンド幅制限用の外付フィルタを接続した際に、システム全体としての通信効率を向上させることができる、無線通信システムを提供することを目的とする。
【課題を解決するための手段】
【００１５】
上記した課題を解決するために本発明は、電波でマクロセルを形成し、所定のバンド幅を制限する外付フィルタが接続された通信基地局としてのマクロ基地局と、前記マクロセル内で電波によるマイクロセルを形成し、前記外付フィルタが任意に接続される通信基地局としてのマイクロ基地局とを有し、複数のバンド幅を使用して通信を行う無線通信システムにおいて、前記マクロ基地局に、より制限の弱いバンド幅を優先的に割り当て、前記マイクロ基地局に、より制限の強いバンド幅を優先的に割り当てることを特徴とする。
【００１６】
本発明において、前記マクロセル内に前記マイクロ基地局が複数配置され、これらマイクロ基地局が形成するマイクロセルにおいても前記マクロセルと同じバンド幅が制限されている際に、より制限の弱いバンドを持つ基地局に対して、優先的にこの制限バンドを割り当て、同じバンドを使い且つ制限されているバンドである基地局が複数ある場合には、その中で最も制限の弱いバンドを持つ基地局に割り当てることを特徴とする。
【００１７】
本発明において、前記マクロセル内に前記マイクロ基地局が複数配置され、これらマイクロ基地局が形成するマイクロセルにおいても前記マクロセルと同じバンド幅が制限されている際に、より出力電力の小さなマイクロ基地局に対して、よりバンド制限の強いバンド幅を優先的に割り当てることを特徴とする。
【００１８】
本発明において、前記マクロ基地局は、当該マクロ基地局及び前記マイクロ基地局の出力電力及びバンド幅毎の劣化量を表すセル設置状況情報を記憶する記憶部と、当該マクロ基地局が前記セル設置状況情報から該当セルのバンド幅の劣化量を確認して劣化無しのバンド幅を使用し、また、複数のマイクロ基地局のうちバンド幅の劣化量又は出力電力の小さいバンド幅を使用するように該当マイクロ基地局に指示する処理部とを備えることを特徴とする。
【発明の効果】
【００１９】
本発明によれば、マクロセル及びマイクロセル内の通信基地局にバンド幅制限用の外付フィルタを接続した際に、システム全体としての通信効率を向上させることができる無線通信システムを提供することができる。
【図面の簡単な説明】
【００２０】
【図１】本実施形態に係る無線通信システムにおけるマクロセルの通信基地局（マクロ基地局）の構成を示すブロック図である。
【図２】本実施形態に係る無線通信システムにおけるマイクロセルの外付フィルタが接続された通信基地局（マイクロ基地局）の構成を示すブロック図である。
【図３】本実施形態に係る無線通信システムにおけるマイクロセルの通信基地局（マイクロ基地局）の構成を示すブロック図である。
【図４】（ａ）制限バンドがない状態のマクロセル／マイクロセルの通信基地局の出力スペクトラムを示し、（ｂ）比較的弱い制限バンドを持つ状態のマクロセル／マイクロセルの出力スペクトラムを示し、（ｃ）比較的強い制限バンドを持つ状態のマクロセル／マイクロセルの出力スペクトラムを示す図である。
【図５】（ａ）本実施形態の無線通信システムの第１の構成を示し、（ｂ）その第１の構成に対応するセル設置状況情報のテーブル構成を示す図である。
【図６】（ａ）本実施形態の無線通信システムの第２の構成を示し、（ｂ）その第２の構成に対応するセル設置状況情報のテーブル構成を示す図である。
【図７】（ａ）本実施形態の無線通信システムの第３の構成を示し、（ｂ）その第３の構成に対応するセル設置状況情報のテーブル構成を示す図である。
【図８】従来の無線通信システムにおけるマクロ基地局又はマイクロ基地局の構成を示すブロック図である。
【発明を実施するための形態】
【００２１】
以下、添付図面を参照して本発明を実施するための実施の形態（以下、単に本実施形態という）について詳細に説明する。但し、本明細書の全図において同一部分には同一符号を付し、その説明を適時省略する。
（実施形態の構成）
図１は本実施形態に係る無線通信システムにおけるマクロセルの通信基地局（マクロ基地局）１１の構成を示すブロック図、図２は本実施形態に係る無線通信システムにおけるマイクロセルの外付フィルタが接続された通信基地局（マイクロ基地局）３１の構成を示すブロック図、図３は本実施形態に係る無線通信システムにおけるマイクロセルの通信基地局（マイクロ基地局）４１の構成を示すブロック図である。
【００２２】
マクロ基地局１１は、有線ネットワークインタフェイス部１２と、第１バンド用無線送受信部１３と、第２バンド用無線送受信部１４と、処理部１５と、記憶部１６と、第１バンド用無線送受信部１３に接続された複数のアンテナ１７ａ，１７ｂと、第２バンド用無線送受信部１４に接続された複数のアンテナ１７ｃ，１７ｄと、また、第１バンド用無線送受信部１３と複数のアンテナ１７ａ，１７ｂとの間に接続された外付フィルタ１８とを備えて構成されている。
【００２３】
更に、処理部１５は、バンド使用優先度作成部１９を備え、記憶部１６は、優先割当バンド情報２０と、セル設置状況情報２１としての自セル制限バンドリスト２２、近傍マイクロセルリスト２３、近傍マイクロセル制限バンドリスト２４及び近傍マイクロセル出力電力リスト２５とを備えている。
【００２４】
マイクロ基地局３１は、有線ネットワークインタフェイス部３２と、第１バンド用無線送受信部３３と、第２バンド用無線送受信部３４と、処理部３５と、記憶部３６と、第１バンド用無線送受信部３３に接続された複数のアンテナ３７ａ，３７ｂと、第２バンド用無線送受信部３４に接続された複数のアンテナ３７ｃ，３７ｄと、また、第１バンド用無線送受信部３３と複数のアンテナ３７ａ，３７ｂとの間に接続された外付フィルタ３８とを備えて構成されている。
【００２５】
マイクロ基地局４１は、マイクロ基地局３１の上記構成において外付フィルタ３８が接続されていない構成となっている。
【００２６】
また、外付フィルタ１８，３８を接続する理由は、図５（ａ）に示すような第１バンドによる干渉制限エリアｉｅにおいては、第１バンドのバンド幅と隣接した高いバンド幅に対しての干渉を抑える必要があるからである。このような制限バンドにおいては、図４（ｂ）及び（ｃ）の右側に台形で示す第１バンドのようにバンド幅内の一部の信号が減衰されており、これが原因でバンド幅内の特性が劣化している。一方、外付フィルタ１８，３８が接続されていない方では、図４（ａ）〜（ｃ）の左側に台形で示す第２バンドのように劣化が発生していない。
【００２７】
図４（ａ）は、送受信信号の第１及び第２バンド（ＭＨｚ）と強度ｄＢｍとの関係を示すものであり、第１及び第２バンドは、中心周波数ｆ０−１，ｆ０−２に対してｆｎまでの範囲（図には片側のみ記載）の周波数を使用する。
【００２８】
図４（ｂ）の第１バンドは、外付フィルタ１８，３８によりバンドが弱く制限された場合の一例であり、この制限弱の第１バンドは、中心周波数ｆ０−１から所定バンド幅離れた位置ｆ２からｆｎまでのバンド幅を減衰して制限する。
【００２９】
図４（ｃ）の第１バンドは、外付フィルタ１８，３８によりバンドが強く制限された場合の一例であり、この制限強の第１バンドは、中心周波数ｆ０−１からｆ２よりも所定バンド幅離れた位置ｆ１からｆｍまでのバンド幅を減衰して制限する。
【００３０】
マクロ基地局１１の記憶部１６には、自セル制限バンドリスト２２として自セル制限バンドの劣化量が記憶され、近傍マイクロセルリスト２３として近傍マイクロセルの固有番号などの識別情報が記憶され、近傍マイクロセル制限バンドリスト２４として近傍マイクロセルのバンドの劣化量が記憶され、近傍マイクロセル出力電力リスト２５として近傍マイクロセルの出力電力が予め記憶される。
【００３１】
処理部１５のバンド使用優先度作成部１９は、上記のようなセル設置状況情報２１を参照して、記憶部１６に優先割当バンド情報２０として、送受信時に優先的に割り当てられるバンドを登録する処理を行う。
【００３２】
この処理は、まず、自セルであるマクロセルの制限バンド（第１バンド）による劣化量と、そのマクロセル内の各マイクロセルの制限バンドの劣化量とを比較し、最も劣化量の少ないセルのうち１つを選択する。ここで、複数のマイクロセルの制限バンドの劣化量が同じであれば、出力電力の小さい方のマイクロセルを選択する。次に、マクロ基地局１１の自セルでバンド制限を行っているバンド（第１バンド）以外のバンド（第２バンド）を優先割当バンド情報２０として登録する。次に、マクロ基地局１１は、有線ネットワークインタフェイス部１２を介して有線ネットワークを経由し、上記で選択された１つのマイクロセルのマイクロ基地局（例えば４１）に対して、第１バンドを優先割当バンド情報として送信し、そのマイクロ基地局４１が、更にマクロ基地局１１から第１バンドへの優先割当バンド情報を受信し、記憶部３６に優先割当バンド情報３９として第１バンドを登録するようになっている。
（実施形態の動作）
以下、本実施形態に係る無線通信システムの通信動作について、図４〜図７を参照しながら詳細に説明する。
【００３３】
まず、図５（ａ）に示すセル設置状況の無線通信システムの通信動作を説明する。図５（ａ）は、マクロセルｍを電波で形成するマクロ基地局１１と、マクロセルｍに重複するマイクロセルｉ１，ｉ２を電波で形成するマイクロ基地局４１ａ，４１ｂとを有する無線通信システム図である。マイクロ基地局４１ａ，４１ｂは、何れも図３に示したマイクロ基地局４１と同構成であり、これらマイクロ基地局４１ａ，４１ｂとマクロ基地局１１とは、各々の有線ネットワークインタフェイス部１２，３２を介して有線ネットワークで接続されている。
【００３４】
マクロ基地局１１によるマクロセルｍの一部には、第１バンドによる干渉制限エリアｉｅが含まれており、第１バンドに対してバンド制限を行う外付フィルタ１８が設置されている（図１参照）。２つのマイクロセルｉ１，ｉ２には、干渉制限エリアｉｅは含まれず、外付フィルタは設置されていない（図３参照）。
【００３５】
マクロ基地局１１には、予め図５（ｂ）にテーブルで示すセル設置状況情報２１が記憶部１６に記憶されている。そのテーブルに示すように、マクロセルｍは、マクロ基地局１１の出力電力が「２０Ｗ」、第１バンドの劣化量が「劣化５」、第２バンドの劣化量が「劣化なし」であり、マイクロセルｉ１は、マイクロ基地局４１ａの出力電力が「５Ｗ」、第１バンドの劣化量が「劣化なし」、第２バンドの劣化量が「劣化なし」であり、マイクロセルｉ２は、マイクロ基地局４１ｂの出力電力が「５Ｗ」、第１バンドの劣化量が「劣化なし」、第２バンドの劣化量が「劣化なし」である。但し、劣化量の「劣化５」の数値は、４，３，２，１と小さくなる程にバンドの劣化量が小さくなることを示す。言い換えれば、「劣化１」に近づく程に図４（ｂ）に示す第１バンドのように、バンドが弱く制限された状態であり、「劣化５」に近づく程に図４（ｃ）に示す第１バンドのように、バンドが強く制限された状態である。
【００３６】
このようなセル設置状況情報２１は、図１に示すマクロ基地局１１において、自セル制限バンドリスト２２に第１バンドの劣化量が「劣化５」、第２バンドの劣化量が「劣化なし」であることが記憶され、近傍マイクロセルリスト２３に近傍マイクロセルがマイクロセルｉ１，ｉ２であることが記憶され、近傍マイクロセル制限バンドリスト２４に近傍マイクロセルｉ１，ｉ２の第１バンドの劣化量が「劣化なし」、第２バンドの劣化量が「劣化なし」であることが記憶され、近傍マイクロセル出力電力リスト２５に近傍マイクロセルｉ１の出力電力が「５Ｗ」、近傍マイクロセルｉ２の出力電力が「５Ｗ」であることが記憶される。
【００３７】
このようなセル設置状況情報２１を参照して、マクロ基地局１１の処理部１５のバンド使用優先度作成部１９が、記憶部１６に優先割当バンド情報２０として次のように優先的な割り当てを行う。なお、この説明に当たってセル設置状況情報２１としては図５（ｂ）を参照する。
【００３８】
まず、バンド使用優先度作成部１９は、自セルであるマクロセルｍの制限バンドによる劣化量と、各マイクロセルｉ１，ｉ２の劣化量とを比較し、最も劣化量の少ないセルのうち１つを選択する。ここではマクロセルｍの第１バンドの劣化量が「劣化５」である以外は「劣化なし」なので、例えばマイクロセルｉ１を選択する。
【００３９】
次に、バンド使用優先度作成部１９は、自セルｍにおいては第１バンドにおいてバンド制限を行っているので、第１バンド以外の第２バンドを優先割当バンド情報２０として登録する。
【００４０】
次に、マクロ基地局１１は、有線ネットワークインタフェイス部１２を介して有線ネットワークを経由し、上記で選択されたマイクロセルｉ１のマイクロ基地局４１ａに対して、第１バンドを優先割当バンド情報として送信する。次に、マイクロ基地局４１ａは、マクロ基地局１１から第１バンドへの優先割当バンド情報を受信し、記憶部３６に優先割当バンド情報３９として第１バンドを登録する。
【００４１】
これによって、マクロ基地局１１は、図示せぬ携帯電話機等の携帯端末機と通信を行う際に、登録された優先割当バンド情報２０に基づいて第１バンド以外の第２バンドを優先して割り当てる。また、マイクロ基地局４２ａは、携帯端末機と通信を行う際に、登録された優先割当バンド情報３９に基づいて第１バンドを優先して割り当てる。
【００４２】
次に、図６（ａ）に示すセル設置状況の無線通信システムの通信動作を説明する。図６（ａ）は、マクロ基地局１１と、マクロセルｍに重複するマイクロセルｉ３，ｉ４を電波で形成するマイクロ基地局３１ａ，３１ｂとを有する無線通信システム図である。マイクロ基地局３１ａ，３１ｂは、何れも図２に示したマイクロ基地局３１と同構成であり、これらマイクロ基地局３１ａ，３１ｂとマクロ基地局１１とは、各々の有線ネットワークインタフェイス部１２，３２を介して有線ネットワークで接続されている。
【００４３】
マクロ基地局１１のマクロセルｍ及びマイクロ基地局３１ｂのマイクロセルｉ４の一部には、第１バンドによる干渉制限エリアｉｅが含まれており、第１バンドに対してバンド制限を行う外付フィルタ１８，３８が設置されている（図１，図２参照）。
【００４４】
マクロ基地局１１には、予め図６（ｂ）にテーブルで示すセル設置状況情報２１が記憶部１６に記憶されている。そのテーブルに示すように、マクロセルｍは、マクロ基地局１１の出力電力が「２０Ｗ」、第１バンドの劣化量が「劣化５」、第２バンドの劣化量が「劣化なし」であり、マイクロセルｉ３は、マイクロ基地局３１ａの出力電力が「５Ｗ」、第１バンドの劣化量が「劣化３」、第２バンドの劣化量が「劣化なし」であり、マイクロセルｉ４は、マイクロ基地局３１ｂの出力電力が「５Ｗ」、第１バンドの劣化量が「劣化１」、第２バンドの劣化量が「劣化なし」である。
【００４５】
このようなセル設置状況情報２１は、マクロ基地局１１において、自セル制限バンドリスト２２に第１バンドの劣化量が「劣化５」、第２バンドの劣化量が「劣化なし」であることが記憶され、近傍マイクロセルリスト２３に近傍マイクロセルがマイクロセルｉ３，ｉ４であることが記憶され、近傍マイクロセル制限バンドリスト２４に近傍マイクロセルｉ３の第１バンドの劣化量が「劣化３」、第２バンドの劣化量が「劣化なし」で、近傍マイクロセルｉ４の第１バンドの劣化量が「劣化１」、第２バンドの劣化量が「劣化なし」であることが記憶されている。更に、近傍マイクロセル出力電力リスト２５に近傍マイクロセルｉ３，ｉ４の出力電力が「５Ｗ」であることが記憶される。
【００４６】
このようなセル設置状況情報２１を参照して、マクロ基地局１１のバンド使用優先度作成部１９が、記憶部１６に優先割当バンド情報２０として次のように優先的な割り当てを行う。なお、この説明に当たってセル設置状況情報２１としては図６（ｂ）を参照する。
【００４７】
まず、バンド使用優先度作成部１９は、自セルであるマクロセルｍの制限バンド（第１バンド）による劣化量と、各マイクロセルｉ３，ｉ４の制限バンド（第１バンド）による劣化量とを比較し、最も劣化量の少ないセルのうち１つを選択する。ここではマイクロセルｉ４の第１バンドの劣化量が「劣化１」と最も少ないので、マイクロセルｉ４を選択する。
【００４８】
次に、バンド使用優先度作成部１９は、自セルｍにおいては第１バンドにおいてバンド制限を行っているので、第１バンド以外の第２バンドを優先割当バンド情報２０として登録する。
【００４９】
次に、マクロ基地局１１は、有線ネットワークインタフェイス部１２を介して有線ネットワークを経由し、上記で選択されたマイクロセルｉ４のマイクロ基地局３１ｂに対して、第１バンドを優先割当バンド情報として送信する。次に、マイクロ基地局３１ｂは、マクロ基地局１１から第１バンドへの優先割当バンド情報を受信し、記憶部３６に優先割当バンド情報３９として第１バンドを登録する。
【００５０】
これによって、マクロ基地局１１は、図示せぬ携帯電話機等の携帯端末機と通信を行う際に、登録された優先割当バンド情報２０に基づいて第１バンド以外の第２バンドを優先して割り当てる。また、マイクロ基地局３１ｂは、携帯端末機と通信を行う際に、登録された優先割当バンド情報３９に基づいて第１バンドを優先して割り当てる。
【００５１】
次に、図７（ａ）に示すセル設置状況の無線通信システムの通信動作を説明する。図７（ａ）は、マクロ基地局１１と、マクロセルｍに重複するマイクロセルｉ５，ｉ６を電波で形成するマイクロ基地局３１ｃ，３１ｄとを有する無線通信システム図である。マイクロ基地局３１ｃ，３１ｄは、何れも図２に示したマイクロ基地局３１と同構成であり、これらマイクロ基地局３１ｃ，３１ｄとマクロ基地局１１とは、各々の有線ネットワークインタフェイス部１２，３２を介して有線ネットワークで接続されている。
【００５２】
マクロ基地局１１のマクロセルｍ及び双方のマイクロ基地局３１ｃ，３１ｄのマイクロセルｉ５，ｉ６の一部には、第１バンドによる干渉制限エリアｉｅが含まれており、第１バンドに対してバンド制限を行う外付フィルタ１８，３８が設置されている。
【００５３】
マクロ基地局１１には、予め図７（ｂ）にテーブルで示すセル設置状況情報２１が記憶部１６に記憶されている。そのテーブルに示すように、マクロセルｍは、マクロ基地局１１の出力電力が「２０Ｗ」、第１バンドの劣化量が「劣化５」、第２バンドの劣化量が「劣化なし」であり、マイクロセルｉ５は、マイクロ基地局３１ｃの出力電力が「５Ｗ」、第１バンドの劣化量が「劣化３」、第２バンドの劣化量が「劣化なし」であり、マイクロセルｉ６は、マイクロ基地局３１ｄの出力電力が「１Ｗ」、第１バンドの劣化量が「劣化３」、第２バンドの劣化量が「劣化なし」である。
【００５４】
このようなセル設置状況情報２１は、マクロ基地局１１において、自セル制限バンドリスト２２に第１バンドの劣化量が「劣化５」、第２バンドの劣化量が「劣化なし」であることが記憶され、近傍マイクロセルリスト２３に近傍マイクロセルがマイクロセルｉ５，ｉ６であることが記憶され、近傍マイクロセル制限バンドリスト２４に近傍マイクロセルｉ５の第１バンドの劣化量が「劣化３」、第２バンドの劣化量が「劣化なし」で、近傍マイクロセルｉ６の第１バンドの劣化量が「劣化３」、第２バンドの劣化量が「劣化なし」であることが記憶されている。更に、近傍マイクロセル出力電力リスト２５に近傍マイクロセルｉ５の出力電力が「５Ｗ」、近傍マイクロセルｉ６の出力電力が「１Ｗ」であることが記憶される。
【００５５】
このようなセル設置状況情報２１を参照して、マクロ基地局１１のバンド使用優先度作成部１９が、記憶部１６に優先割当バンド情報２０として次のように優先的な割り当てを行う。なお、この説明に当たってセル設置状況情報２１としては図７（ｂ）を参照する。
【００５６】
まず、バンド使用優先度作成部１９は、自セルであるマクロセルｍの制限バンド（第１バンド）による劣化量と、各マイクロセルｉ１，ｉ２の制限バンド（第１バンド）による劣化量とを比較し、最も劣化量の少ないセルのうち１つを選択する。ここではマイクロセルｉ５，ｉ６の双方の第１バンドの劣化量が最小で「劣化３」と同じなので、まず、マイクロセルｉ５，ｉ６の双方を選択する。この際、更に劣化量が同じマイクロセルｉ５，ｉ６の出力電力を比較し、最も出力電力の小さい１つを選択する。ここではマイクロセルｉ６の出力電力が「１Ｗ」と最小なのでマイクロセルｉ６を選択する。
【００５７】
ここで、出力電力の小さい方を選択するのは、出力電力が小さい方がマイクロセルエリアが小さいので干渉制限エリアｉｅに重複して干渉を及ぼす範囲が小さくなるからである。
【００５８】
次に、バンド使用優先度作成部１９は、自セルｍにおいては第１バンドにおいてバンド制限を行っているので、第１バンド以外の第２バンドを優先割当バンド情報２０として登録する。
【００５９】
次に、マクロ基地局１１は、有線ネットワークインタフェイス部１２を介して有線ネットワークを経由し、上記で選択されたマイクロセルｉ６のマイクロ基地局３１ｄに対して、第１バンドを優先割当バンド情報として送信する。次に、マイクロ基地局３１ｂは、マクロ基地局１１から第１バンドへの優先割当バンド情報を受信し、記憶部３６に優先割当バンド情報３９として第１バンドを登録する。
【００６０】
これによって、マクロ基地局１１は、図示せぬ携帯電話機等の携帯端末機と通信を行う際に、登録された優先割当バンド情報２０に基づいて第１バンド以外の第２バンドを優先して割り当てる。また、マイクロ基地局３１ｄは、携帯端末機と通信を行う際に、登録された優先割当バンド情報３９に基づいて第１バンドを優先して割り当てる。
（実施形態の効果）
以上説明のように本実施形態に係る無線通信システムは、電波でマクロセルｍを形成し、所定のバンド幅を制限する外付フィルタ１８が接続された通信基地局としてのマクロ基地局１１と、マクロセルｍ内で電波によるマイクロセルｉを形成し、外付フィルタ３８が任意に接続される通信基地局としてのマイクロ基地局３１（又は４１）とを有し、２つのバンドを使用して通信を行う。
【００６１】
本実施形態の特徴は、マクロ基地局１１に、より制限の弱いバンドを優先的に割り当て、マイクロ基地局３１に、より制限の強いバンドを優先的に割り当てるように構成したことにある。
【００６２】
この構成によれば、マクロ基地局１１で制限の弱いバンド、マイクロ基地局３１で制限の強いバンドを優先して使うことにより、制限バンドの悪影響の出るエリア面積を最小限に抑えることができる。
【００６３】
また、マクロセルｍ内にマイクロ基地局３１ａ，３１ｂが複数配置され、これらマイクロ基地局３１ａ，３１ｂが形成するマイクロセルｉ３，ｉ４においてもマクロセルｍと同じバンド幅が制限されている際に、より制限の弱いバンドを持つマイクロ基地局ｉ４に対して、優先的にこの制限バンドを割り当てるように構成した。また、同じバンドを使い且つ制限されているバンドである基地局が複数ある場合には、その中で最も制限の弱いバンドを持つ基地局に割り当てるように構成してもよい。
【００６４】
この構成によれば、マクロセルｍ内にマイクロ基地局３１ａ，３１ｂが複数あり、これらのマイクロセルｉ３，ｉ４においてマクロセルｍと同じ第１バンドが制限バンドになっている場合に、より制限の弱い減衰を行うマイクロ基地局３１ｂで制限の強い第１バンドを優先して使うことにより、制限バンドとしての第１バンドの悪影響が出るエリア面積を最小限に抑えることができる。
【００６５】
また、マクロセルｍ内にマイクロ基地局３１ｃ、３１ｄが複数配置され、これらマイクロ基地局３１ｃ、３１ｄが形成するマイクロセルｉ５，ｉ６においてもマクロセルｍと同じ第１バンドが制限されている際に、より出力電力の小さなマイクロ基地局３１ｄに対して、よりバンド制限の強いバンド幅を優先的に割り当てるように構成した。
【００６６】
この構成によれば、マクロセルｍ内にマイクロ基地局３１ｃ，３１ｄが複数あり、これらのマイクロセルｉ５，ｉ６においてマクロセルｍと同じ第１バンドが制限バンドになっている場合に、より出力電力の小さなマイクロ基地局３１ｄで制限の強い第１バンドを優先して使うことにより、制限バンドとしての第１バンドの悪影響が出るエリア面積を最小限に抑えることができる。
【００６７】
更に、マクロ基地局１１は、当該マクロ基地局１１及びマイクロ基地局３１の出力電力及びバンド幅毎の劣化量を表すセル設置状況情報を記憶する記憶部１６と、当該マクロ基地局１１がセル設置状況情報２１から該当セルのバンド幅の劣化量を確認して劣化無しのバンド幅を使用し、また、複数のマイクロ基地局３１のうちバンド幅の劣化量又は出力電力の小さいバンド幅を使用するように該当マイクロ基地局３１に指示する処理部１５とを備えた構成となっている。
【００６８】
この構成によれば、無線通信システムにおいて、実際に通信が行われて信号の劣化が発生する前に、マクロ基地局１１及びマイクロ基地局３１での事前登録情報を用いて、最適なバンド使用優先度を決定することができる。
【００６９】
従って、このような無線通信システムによれば、マクロセルｍ及びマイクロセルｉ内の通信基地局１１，３１，４１にバンド幅制限用の外付フィルタ１８，３８を接続した際に、システム全体としての通信効率を向上させることができる。
【００７０】
また、本実施形態においては、一般に、干渉制限のあるセルエリアおける特定のバンドノイズの発生量の規格は、絶対値で規定されている場合が多い。しかし、同じのノイズ制限がある場合であっても、出力電力の小さいセルであったほうが外付フィルタに求められる減衰量を小さくでき、結果として自セルバンド幅内の劣化が小さい傾向にある。このため、マクロセルｍには、図４（ｃ）のような強いフィルタが設置されているエリアであっても、出力の小さなマイクロセルにおいては図４（ａ）及び（ｂ）になっている状況が発生していることが多い。本実施形態の無線通信システムは、その状況を積極的に利用することで効果的な運用を図ることができる。
【００７１】
以上、本発明の好ましい実施形態について詳述したが、本発明の技術的範囲予測は上記実施形態に記載の範囲予測には限定されないことは言うまでもない。上記実施形態に、多様な変更または改良を加えることが可能であることが当業者に明らかである。またその様な変更または改良を加えた形態も本発明の技術的範囲予測に含まれ得ることが、特許請求の範囲予測の記載から明らかである。
【符号の説明】
【００７２】
１１・・マクロ基地局、１２，３２・・有線ネットワークインタフェイス部、１３、３３・・第１バンド用無線送受信部、１４、３４・・第２バンド用無線送受信部、１５、３５・・処理部、１６、３６・・記憶部、１７ａ〜１７ｄ、３７ａ〜３７ｄ・・アンテナ、１８、３８・・外付フィルタ、１９、３９・・バンド使用優先度作成部、２０・・優先割当バンド情報、２１・・セル設置状況情報、２２・・自セル制限バンドリスト、２３・・近傍マイクロセルリスト、２４・・近傍マイクロセル制限バンドリスト、２５・・近傍マイクロセル出力電力リスト、３１、３１ａ、３１ｂ、３１ｃ、３１ｄ、４１・・マイクロ基地局。
【図１】
2013191987.tif 000003
【図２】
2013191987.tif 000004
【図３】
2013191987.tif 000005
【図４】
2013191987.tif 000006
【図５】
2013191987.tif 000007
【図６】
2013191987.tif 000008
【図７】
2013191987.tif 000009
【図８】
2013191987.tif 000010